(57)【要約】【課題】  取付場所を容易に変更でき、壁面における浴室用鏡の周囲部分の清掃作業が容易になる浴室用鏡および浴室用鏡の取付構造を提供すること。【解決手段】  浴室用鏡２０を、表面が鏡面仕上げされたステンレス鋼からなる鏡面板２１の裏面にラバーマグネットシートからなる永久磁石シート２２を弾性接着剤で２３貼り付けて形成した。また、その浴室用鏡２０を、鋼板１７を含む壁面パネル１１に取付場所を変更可能に取り付けた。【選択図】  図３
2007222362.tif 000002
【特許請求の範囲】
【請求項１】
表面が鏡面仕上げされた金属板の裏面に磁石からなるシート材を設けたことを特徴とする浴室用鏡。
【請求項２】
前記浴室用鏡の表面における所定部分に把持部を設けた請求項１に記載の浴室用鏡。
【請求項３】
前記把持部を、前記浴室用鏡の表面における下端縁部または上端縁部に沿って設けた棚部材で構成した請求項２に記載の浴室用鏡。
【請求項４】
前記把持部を、前記浴室用鏡の表面における周縁部分に設けた突起状のつまみで構成した請求項２に記載の浴室用鏡。
【請求項５】
請求項１ないし４のうちのいずれか一つに記載の浴室用鏡を取り付けるための浴室用鏡の取付構造であって、前記浴室用鏡が、表面または内部に磁性を有する材料を含む壁面に取付場所を変更可能に取り付けられる浴室用鏡の取付構造。
【発明の詳細な説明】
【技術分野】
【０００１】
本発明は、浴室ユニットの壁面等に取り付けられる浴室用鏡および浴室用鏡の取付構造に関する。
【背景技術】
【０００２】
従来から、浴室ユニットの洗い場や洗面室等における壁面には鏡が取り付けられている（例えば、特許文献１参照）。この鏡は、板状体を屈曲させて構成される鏡支持部と鏡保持部とからなる４個の固定用部材と、固定用部材を壁面に固定するためのねじとを用いて壁面に固定される。すなわち、鏡支持部は壁面に固定されて鏡の裏面における四隅にそれぞれ位置し、鏡保持部は鏡の下端面および上端面からそれぞれ鏡の表面にかけて延びて鏡の落下を防止する。
【特許文献１】実開平７−３０８２４号公報
【発明の開示】
【０００３】
しかしながら、従来の鏡固定構造では、鏡が壁面の所定場所に固定されているため、鏡の設置場所を変更しようとすると、ねじを外して固定部材を鏡とともに壁面から取り外したのちに、再度ねじと固定部材で鏡を壁面に固定しなければならず、鏡の設置場所の変更が面倒であるとともに、ねじの穴が露出して美観を損なうという問題が生じる。さらに、鏡の設置場所を複数回変更すると、壁面に露出するねじの穴の数がさらに増えていく。また、壁面における鏡の周囲部分に汚れが溜まりやすく、その汚れを除去し難いという問題もある。さらに、従来の鏡のように裏面に長期にわたり水が接触していると、鏡しけ（黒いカビのような汚れ）が発生して鏡として機能しなくなるという問題もある。
【０００４】
本発明は、前述した問題に対処するためになされたもので、その目的は、取付場所を容易に変更でき、壁面における浴室用鏡の周囲部分の清掃作業が容易になる浴室用鏡および浴室用鏡の取付構造を提供することである。
【０００５】
前述した目的を達成するため、本発明に係る浴室用鏡の特徴は、表面が鏡面仕上げされた金属板の裏面に磁石からなるシート材を設けたことにある。
【０００６】
このように構成した本発明の浴室用鏡によれば、浴室用鏡の表面側部分が鏡面仕上げされた金属板で構成されているため、いわゆる鏡しけが発生することがなくなり、浴室用鏡の長期間の使用が可能になる。また、接着剤で貼り付ける等して浴室用鏡の裏面に磁石からなるシート材を設けたため、磁性を有する材料を含む壁面の任意の場所に浴室用鏡を容易に位置変更可能な状態で取り付けることができる。なお、浴室ユニットの壁面を構成する壁面パネルに鋼板等が使用されている場合に、本発明に係る浴室用鏡が取り付け可能になる。
【０００７】
また、この浴室用鏡によれば、壁面を清掃する際には、浴室用鏡を壁面から取り外した状態で壁面を拭く作業が行えるため清掃作業が極めて容易になる。なお、金属板としては、表面を鏡面仕上げしたステンレス鋼やアルミニウムの表面にクロムメッキを施したもの等の種々のものを用いることができ、磁石からなるシート材としてはラバーマグネットシート等のシート材を用いることができる。さらに、接着剤で貼り付ける場合には弾性接着剤を用いることが好ましい。
【０００８】
本発明に係る浴室用鏡の他の構成上の特徴は、浴室用鏡の表面における所定部分に把持部を設けたことにある。これによると、浴室用鏡を壁面から取り外す際に、手で把持部を持って浴室用鏡を壁面から外すことができるため、その作業が容易になる。また、浴室用鏡を壁面に取り付ける際にもこの把持部を持って操作することにより作業が容易になる。
【０００９】
本発明に係る浴室用鏡のさらに他の構成上の特徴は、把持部を、浴室用鏡の表面における下端縁部または上端縁部に沿って設けた棚部材で構成したことにある。これによると、浴室用鏡を壁面に取り付けたときには、把持部を浴室内で使用する小物を置くための棚として用いることができ、浴室用鏡を壁面から取り外す際には、把持部を持って浴室用鏡を取り外すことができる。また、浴室用鏡を壁面に取り付ける際にもこの把持部を持って操作することができる。
【００１０】
また、本発明に係る浴室用鏡のさらに他の構成上の特徴は、把持部を、浴室用鏡の表面における周縁部分に設けた突起状のつまみで構成したことにある。これによっても、浴室用鏡を壁面から取り外したり、浴室用鏡を壁面に取り付けたりする際の操作が容易になる。また、つまみからなる把持部が、浴室用鏡の表面における周縁部側に設けられているため、把持部によって浴室用鏡の機能が損なうことがない。また、前述した各浴室用鏡は、表面または内部に磁性を有する材料を含む壁面に取付場所を変更可能に取り付けられる。
【発明を実施するための最良の形態】
【００１１】
（第１実施形態）
以下、本発明の第１実施形態を図面を用いて説明する。図１は、同実施形態に係る浴室用鏡２０を備えた浴室用鏡の取付構造１０を示している。この浴室用鏡の取付構造１０は、壁面パネル１１に浴室用鏡２０を張り付けて構成されており、壁面パネル１１における浴室用鏡２０の右側部分（図１の右側部分）には、入浴剤等を置くための棚部１２ａ，１２ｂが上下に間隔を保って設けられ、浴室用鏡２０の下方には、水平方向に延びる大きな棚部１２ｃが設けられている。
【００１２】
なお、図示していないが、棚部１２ｃの下方には水栓が設けられている。そして、壁面パネル１１における浴室用鏡２０の左側部分上部には、フック１３ａが取り付けられ、このフック１３ａに、水栓から延びるシャワーホース１３ｂの先端部に取り付けられたシャワーノズル１３が着脱可能に取り付けられている。また、壁面パネル１１における浴室用鏡２０の上方には、照明装置１４が設置されている。
【００１３】
壁面パネル１１は、図２に示した構造をしており、化粧板１５と裏面板１６との間に、鋼板１７と発泡ウレタンからなる断熱材層１８とが積層されて構成されている。また、鋼板１７と断熱材層１８は、化粧板１５と裏面板１６よりも一回り小さく形成されて、化粧板１５と裏面板１６の間における中央側に配置されその端面側周囲に、硬質の樹脂材料からなる枠部材１９が取り付けられている。
【００１４】
また、浴室用鏡２０は、図３に示したように、金属板からなる鏡面板２１の裏面に永久磁石シート２２を弾性接着剤２３で貼り付けて構成されている。鏡面板２１は、ステンレス鋼の表面を鏡面に仕上げた厚みが、例えば、０．８〜１．２ｍｍ程度の縦長四角形の板材で構成され、永久磁石シート２２は、ゴムに粉末の磁石を混合して形成された厚みが、例えば、３〜４ｍｍ程度のラバーマグネットシートで構成されている。また、弾性接着剤２３は、耐磨耗性や耐屈曲性に優れたポリウレタンやシリコーンからなっており、熱膨張率や屈曲率の異なる鏡面板２１と永久磁石シート２２とを屈曲可能な状態で接着している。
【００１５】
この構成において、浴室用鏡２０を壁面パネル１１に取り付ける際には、浴室用鏡２０の壁面パネル１１の表面に対する上下方向および左右方向の位置を調節して、浴室用鏡２０を壁面パネル１１に押し付ける。これによって、浴室用鏡２０は壁面パネル１１の表面に確実に取り付けられる。すなわち、壁面パネル１１の表面には鋼板１７が用いられ、浴室用鏡２０の裏面はラバーマグネットシートからなる永久磁石シート２２で構成されているため、永久磁石シート２２の吸着力によって浴室用鏡２０は壁面パネル１１に確実に取り付けられる。
【００１６】
また、浴室ユニット内の清掃を行う際には、図４に示したように、手２４で浴室用鏡２０をこじ開けるようにして壁面パネル１１から剥がす。この場合、浴室用鏡２０は撓んだ状態になって壁面パネル１１から離れていく。このため、その状態で、壁面パネル１１の表面を洗ったり拭いたりすることにより、壁面パネル１１の清掃を容易に行える。また、清掃後に、浴室用鏡２０を壁面パネル１１に取り付けるときには、前述した方法で、壁面パネル１１の所定の場所に浴室用鏡２０を取り付ける。さらに、清掃以外のときに、浴室用鏡２０の取付場所を変更する際にも同様の操作を行う。
【００１７】
このように、本実施形態に係る浴室用鏡の取付構造１０では、浴室用鏡２０の表面側部分が、ステンレス鋼の表面を鏡面に仕上げた鏡面板２１で構成されているため、従来から用いられている通常の鏡を浴室ユニット内等の水に接触する場所で長期間使用したときに生じる「鏡しけ」が発生することがない。このため、浴室用鏡２０を長期間にわたって使用することができる。
【００１８】
また、浴室用鏡２０の裏面側部分がラバーマグネットシートからなる永久磁石シート２２で構成されているため、浴室用鏡２０を、鋼板１７が用いられた壁面パネル１１の任意の場所に位置変更可能な状態で取り付けることができる。また、壁面パネル１１を清掃する際には、浴室用鏡２０を壁面パネル１１から取り外した状態で壁面パネル１１の表面を洗ったり拭いたりする作業が行えるため清掃作業が極めて容易になる。さらに、浴室用鏡２０が湾曲可能であるため、壁面パネル１１から取り外したり、壁面パネル１１に取り付けたりする際の作業が容易になる。
【００１９】
（第２実施形態）
図５および図６は、本発明の第２実施形態にかかる浴室用鏡３０の上部側部分を示している。この浴室用鏡３０は、前述した実施形態の浴室用鏡２０と同一に構成された鏡本体３４の上端縁部に沿って把持部３５を取り付けて構成されている。すなわち、鏡本体３４は、鏡面板３１と、永久磁石シート３２と、弾性接着剤３３とで構成されている。また、把持部３５は、後端部が鏡本体３４の上端面に接着固定された棚状の水平面部３６と、水平面部３６の前端縁部から下方に向って突出する指掛け部３７と、水平面部３６の後端側部分から下方に向って延び鏡面板３１の上端側表面に接着固定された固定部３８とで構成されている。
【００２０】
そして、この浴室用鏡３０も前述した壁面パネル１１を備えた浴室ユニットで使用される。この浴室用鏡３０によると、浴室用鏡３０を壁面パネル１１から取り外す際に、手２４で把持部３５の指掛け部３７を持って浴室用鏡３０を壁面パネル１１から外すことができるため、その作業が容易になる。また、浴室用鏡３０を壁面パネル１１に取り付ける際にも、手２４で把持部３５の指掛け部３７を持って浴室用鏡３０を壁面パネル１１に取り付けることができるため作業が容易になる。さらに、把持部３５の水平面部３６を棚として用いて浴室内で使用する入浴剤等を置くこともできる。この浴室用鏡３０のそれ以外の作用効果については前述した浴室用鏡２０と同様である。
【００２１】
（第３実施形態）
図７および図８は、本発明の第３実施形態にかかる浴室用鏡４０の下部側部分を示している。この浴室用鏡４０では、把持部４５が鏡本体４４の上端縁部ではなく下端縁部に設けられている。すなわち、把持部４５は、後端部が鏡本体４４の下端面に接着固定された棚状の水平面部４６と、水平面部４６の前端縁部から上方に向って突出する指掛け部４７と、水平面部４６の後端側部分から上方に向って延び鏡面板４１の上端側表面に接着固定された固定部４８とで構成されている。この浴室用鏡４０のそれ以外の部分の構成については、前述した浴室用鏡３０と同一である。したがって、同一部分に同一符号を記して説明は省略する。
【００２２】
この浴室用鏡４０も前述した壁面パネル１１を備えた浴室ユニットで使用される。この浴室用鏡４０によると、指掛け部４７が水平面部４６の前端縁部から上方に向って突出しているため、水平面部４６を棚として用いた場合に、指掛け部４７が落下防止の機能を持つようになり、入浴剤等を安定した状態で置くことができる。この浴室用鏡４０のそれ以外の作用効果については前述した浴室用鏡３０と同様である。
【００２３】
（第４実施形態）
図９は、本発明の第４実施形態にかかる浴室用鏡５０の上部側部分を示している。この浴室用鏡５０では、把持部５５が円柱状のつまみで構成されており、鏡本体５４の上部側の周縁部分における左右方向の中央に設けられている。すなわち、鏡本体５４の上部側の周縁部分における左右方向の中央に穴部が設けられ、この穴に把持部５５の後部側部分が差し込まれた状態で固定されている。この浴室用鏡５０のそれ以外の部分の構成については、前述した浴室用鏡２０と同一である。したがって、同一部分に同一符号を記して説明は省略する。
【００２４】
この浴室用鏡５０も前述した壁面パネル１１を備えた浴室ユニットで使用される。この浴室用鏡５０によると、浴室用鏡５０を壁面パネル１１から取り外す際に、手２４で把持部５５を持って浴室用鏡５０を壁面パネル１１から外すことができるため、その作業が容易になる。また、浴室用鏡５０を壁面パネル１１に取り付ける際にも、手２４で把持部５５を持って浴室用鏡５０を壁面パネル１１に取り付けできるためその作業が容易になる。さらに、把持部５５が小さなつまみで構成されるため、浴室用鏡５０の表面を遮る面積が小さくて済む。この浴室用鏡５０のそれ以外の作用効果については前述した浴室用鏡２０と同様である。
【００２５】
また、本発明に係る浴室用鏡および浴室用鏡の取付構造は、前述した各実施形態に限定するものでなく、適宜変更実施が可能である。例えば、前述した各実施形態では、金属板からなる鏡面板２１，３１．４１を、表面を鏡面仕上げしたステンレス鋼で構成しているが、この金属板としては、ステンレス鋼以外の金属でもよく、アルミニウムの表面にクロムメッキを施したもの等でもよい。要は、表面を鏡面に仕上げることができ、水に接触しても変質しない金属板であればよい。
【００２６】
また、前述した各実施形態では、永久磁石シート２２，３２をラバーマグネットシートで構成したが、ラバーマグネットシートに変えて、金属板やラバーシートの四隅等の所定部分に永久磁石を埋め込んだシートを用いることもできる。さらに、鏡面板２１，３１．４１を取り付ける壁面パネルとしては、水栓やシャワーが設けられた壁面パネル１１だけでなく、浴槽（図示せず）に隣接する壁面パネル等にも移動させて取り付けることができる。また、鏡面板２１，３１．４１の厚みは、１ｍｍ程度に設定することが好ましいが、使用する金属の屈曲性等に応じて適宜変更する。
【図面の簡単な説明】
【００２７】
【図１】本発明の第１実施形態に係る浴室用鏡を備えた浴室用鏡の取付構造を示した斜視図である。
【図２】壁面パネルを示した断面図である。
【図３】浴室用鏡を示した断面図である。
【図４】浴室用鏡を壁面パネルから取り外す状態を示した斜視図である。
【図５】本発明の第２実施形態に係る浴室用鏡の上部側部分を示した斜視図である。
【図６】図５の浴室用鏡を示した側面図である。
【図７】本発明の第３実施形態に係る浴室用鏡の下部側部分を示した斜視図である。
【図８】図７の浴室用鏡を示した側面図である。
【図９】本発明の第４実施形態に係る浴室用鏡の上部側部分を示した斜視図である。
【符号の説明】
【００２８】
１０…浴室用鏡の取付構造、１１…壁面パネル、１７…鋼板、２０，３０，４０，５０…浴室用鏡、２１，３１，４１…鏡面板、２２，３２…永久磁石シート、２３，３３…弾性接着剤、３４，４４，５４…鏡本体、３５，４５，５５…把持部、３６，４６…水平面部。
【図１】
2007222362.tif 000003
【図２】
2007222362.tif 000004
【図３】
2007222362.tif 000005
【図４】
2007222362.tif 000006
【図５】
2007222362.tif 000007
【図６】
2007222362.tif 000008
【図７】
2007222362.tif 000009
【図８】
2007222362.tif 000010
【図９】
2007222362.tif 000011